(57)【要約】【課題】現在使用中のチューナを利用して所望の番組が視聴できなる前に、継続して所望の番組を視聴可能とするための所定の制御を行う放送信号受信装置を提供すること。【解決手段】放送信号を受信可能な１以上の外部機器に接続され、放送信号を受信して選局処理を行うチューナ部と、前記チューナ部が、表示手段に番組を表示するために第１の放送局の選局処理を行うチューナ部として選択され、且つ、録画予約が設定された第２の放送局の選局処理を行うチューナ部として選択されているときに、第１の放送局の選局処理を実行可能な外部機器を特定し、録画予約の録画処理が開始される前に、外部機器に対して第１の放送局の選局処理を指示する制御部と、を備えることとする。【選択図】図１
2014099736.tif 000002
【特許請求の範囲】
【請求項１】
放送信号を受信可能な１以上の外部機器に接続され、
放送信号を受信して選局処理を行うチューナ部と、
前記チューナ部が、表示手段に番組を表示するために第１の放送局の選局処理を行うチューナ部として選択され、且つ、録画予約が設定された第２の放送局の選局処理を行うチューナ部として選択されているときに、第１の放送局の選局処理を実行可能な外部機器を特定し、録画予約の録画処理が開始される前に、外部機器に対して第１の放送局の選局処理を指示する制御部と、
を備えることを特徴とする放送信号受信装置。
【請求項２】
録画済み番組の再生処理中において前記制御部は、前記チューナ部が、録画済み番組の再生終了後に、前記表示手段に番組を表示するために第１の放送局の選局処理を行うチューナ部として選択され、且つ、録画予約が設定された第２の放送局の選局処理を実行するチューナ部として選択されているときに、第１の放送局の選局処理を実行可能な外部機器を特定し、録画済み番組の再生終了後、且つ、録画予約の録画処理が開始される前に、外部機器に対して第１の放送局の選局処理を指示することを特徴とする請求項１に記載の放送信号受信装置。
【請求項３】
前記制御部は、第１の放送局が現在放送している番組の放送終了時間よりも、録画予約が設定された第２の放送局が放送する番組の放送開始時間が早いときに限り、外部機器に対して第１の放送局の選局処理を指示することを特徴とする請求項１に記載の放送信号受信装置。
【請求項４】
再生処理開始前に選局処理した第１の放送局が放送する番組と、再生処理終了後に第１の放送局が放送する番組とが同一の番組であるときに限り、外部機器に対して第１の放送局の選局処理を指示することを特徴とする請求項２に記載の放送信号受信装置。
【請求項５】
前記制御部は第１の放送局が放送する番組が所定時間、前記表示手段に表示されたときに限り、外部機器に対して第１の放送局の選局処理を指示することを特徴とする請求項１〜請求項４のいずれか１項に記載の放送信号受信装置。
【請求項６】
前記制御部は、外部機器に対して第１の放送局の選局処理を指示する前に、外部機器が依然として第１の放送局の選局処理を行うことができるか否かを判定し、外部機器が第１の放送局の選局処理に使用できなくなったときは第１の放送局の選局処理を実行可能な外部機器を再特定して、録画予約の録画処理が開始される前に再特定した外部機器に対して第１の放送局の選局処理を指示することを特徴とする請求項１〜請求項５のいずれか１項に記載の放送信号受信装置。
【請求項７】
前記制御部は、外部機器に対して第１の放送局の選局処理を指示した後に、前記チューナ部が第１の放送局の番組の選局処理を実行可能となったときは、前記チューナ部に対して第１の放送局の番組の選局処理を指示することを特徴とする請求項１〜請求項６のいずれか１項に記載の放送信号受信装置。
【請求項８】
前記制御部は前記放送信号に含まれる番組情報を利用して外部機器に対して第１の放送局の選局処理を指示することを特徴とする請求項１〜請求項７のいずれか１項に記載の放送信号受信装置。
【発明の詳細な説明】
【技術分野】
【０００１】
本発明は、放送信号を受信する放送信号受信装置に関する。
【背景技術】
【０００２】
近年、地上デジタル放送、ＢＳ放送、ＣＳ放送が本格的に運用されており、多くの番組が高音質、高画質で視聴可能である。そのような多くの番組から特定の番組を容易に録画予約するためにＥＰＧが利用されている。ＥＰＧは放送信号に含まれる番組情報に基づいて生成される電子番組表である。生成されたＥＰＧを表示画面に表示させて任意の番組を選択することで番組詳細の確認や録画予約の設定等が可能である。
【０００３】
放送信号受信装置はチューナを備え、チューナを介して放送信号を受信する。チューナはユーザによって指定された放送局の選局処理や録画予約が設定された放送局の選局処理を行う。ところで１つのチューナで２以上の放送局の選局処理を同時に行うことはできない。従って、ユーザによって指定された放送局と録画予約が設定された放送局とが異なる場合には、録画予約時間（録画予約されている番組の放送開始時間）が到来すると強制的に放送局が切り替わってしまいユーザは所望の放送局を指定することができなくなる。
【０００４】
そのような状況であっても、放送信号受信装置に放送信号を受信可能な外部機器が接続されている場合には、当該外部機器を利用して所望の放送局の選局処理を行うことができる。しかしながらチューナの切り替え及びチューナ切り替え後の選局処理の実行指示はユーザ自身がリモコン等の操作手段を用いて行わなければならず手間であった。
【０００５】
そこで特許文献１の放送信号受信装置は自装置が指示されたチャンネルを選局できない場合に、そのチャンネルが選局可能か否かの確認を外部機器に対して行って外部機器が選局可能であれば外部機器に対して選局指示を行っている。つまり自装置と外部機器を連動させることで自動的にチューナを切り替え可能としてユーザの負担を軽減している。
【先行技術文献】
【特許文献】
【０００６】
【特許文献１】特開２００８−１６６８６９号公報
【発明の概要】
【発明が解決しようとする課題】
【０００７】
特許文献１の放送信号受信装置は、上述したように指示された放送局の選局処理ができないとき（例えば番組Ａの録画処理を実行中に番組Ｂの選局が指示されたとき）に外部機器に対して指示された放送局の選局処理が可能であるか否か確認するものである。
【０００８】
よって現時点では指示された放送局の選局処理が可能であるが、事後的に選局処理ができなくなる場合（例えば番組Ｄの録画予約設定がなされており番組Ｃを視聴中に番組Ｄの放送開始時間が到来して番組Ｄの録画処理が開始される場合）には何ら処理が行われない。従ってその場合、ユーザは自らチューナを切り替え、且つ、チューナ切り替え後に選局指示をしなければ番組Ｃを継続して視聴することができない。
【０００９】
本発明は上述した問題点に鑑み、現在使用中のチューナを利用して所望の番組が視聴できなくなる前に、継続して所望の番組を視聴可能とするための所定の制御を行う放送信号受信装置を提供することを目的とする。
【課題を解決するための手段】
【００１０】
上記目的を達成するために本発明の放送信号受信装置は、放送信号を受信可能な１以上の外部機器に接続され、放送信号を受信して選局処理を行うチューナ部と、前記チューナ部が、表示手段に番組を表示するために第１の放送局の選局処理を行うチューナ部として選択され、且つ、録画予約が設定された第２の放送局の選局処理を行うチューナ部として選択されているときに、第１の放送局の選局処理を実行可能な外部機器を特定し、録画予約の録画処理が開始される前に、外部機器に対して第１の放送局の選局処理を指示する制御部と、を備えることを特徴とする。
【００１１】
この構成によれば、チューナ部が、表示手段に番組を表示するために第１の放送局の選局処理を行うチューナ部として選択され、且つ、録画予約が設定された第２の放送局の選局処理を行うチューナ部として選択されているときに、第１の放送局の選局処理を実行可能な外部機器を特定し、録画予約の録画処理が開始される前に、外部機器に対して第１の放送局の選局処理を指示する。これによって録画予約の録画処理が開始される前に外部機器が第１の放送局の選局処理を行うので、録画予約時間（録画予約されている番組の放送開始時間）が到来して録画処理が開始されても第１の放送局の番組の視聴を継続することができる。
【００１２】
また上記構成の放送信号受信装置において、録画済み番組の再生処理中において前記制御部は、前記チューナ部が、録画済み番組の再生終了後に、前記表示手段に番組を表示するために第１の放送局の選局処理を行うチューナ部として選択され、且つ、録画予約が設定された第２の放送局の選局処理を実行するチューナ部として選択されているときに、第１の放送局の選局処理を実行可能な外部機器を特定し、録画済み番組の再生終了後、且つ、録画予約の録画処理が開始される前に、外部機器に対して第１の放送局の選局処理を指示することが望ましい。
【００１３】
この構成によれば、録画済み番組の再生終了後、且つ、録画予約の録画処理（録画予約が設定されている放送局の選局処理を実行し、その放送局が放送している番組を録画する処理）が開始される前に、外部機器に対して第１の放送局の選局処理を指示する。これによって録画済み番組の再生終了後に第１の放送局の番組の視聴を継続することができる。
【００１４】
また上記構成の放送信号受信装置において、前記制御部は、第１の放送局が現在放送している番組の放送終了時間よりも、録画予約が設定された第２の放送局が放送する番組の放送開始時間が早いときに限り、外部機器に対して第１の放送局の選局処理を指示することが望ましい。
【００１５】
この構成によれば、第１の放送局が現在放送している番組の放送終了時間よりも、録画予約が設定されている番組の放送開始時間のほうが遅いときには外部機器に対して第１の放送局の選局処理を指示しない。従って、外部機器に対して過度に第１の放送局の選局処理の実行が指示されない。
【００１６】
また上記構成の放送信号受信装置において、再生処理開始前に選局処理した第１の放送局が放送する番組と、再生処理終了後に第１の放送局が放送する番組とが同一の番組であるときに限り、外部機器に対して第１の放送局の選局処理を指示することが望ましい。
【００１７】
この構成によれば、再生処理開始前に選局処理した第１の放送局が放送する番組と再生処理終了後に第１の放送局が放送する番組が同一でないときには外部機器に対して第１の放送局の選局処理を指示しない。従って、外部機器に対して過度に第１の放送局の選局処理の実行が指示されない。
【００１８】
また上記構成の放送信号受信装置において、前記制御部は第１の放送局が放送する番組が所定時間、前記表示手段に表示されたときに限り、外部機器に対して第１の放送局の選局処理を指示することが望ましい。
【００１９】
この構成によれば、第１の放送局が放送する番組の視聴時間（表示手段への表示時間）が所定時間を超えているときに限り、外部機器に対して第１の放送局の選局処理を指示する。従って、外部機器に対して過度に第１の放送局の選局処理の実行が指示されない。
【００２０】
また上記構成の放送信号受信装置において、前記制御部は、外部機器に対して第１の放送局の選局処理を指示する前に、外部機器が依然として第１の放送局の選局処理を行うことができるか否かを判定し、外部機器が第１の放送局の選局処理に使用できなくなったときは第１の放送局の選局処理を実行可能な外部機器を再特定して、録画予約の録画処理が開始される前に再特定した外部機器に対して第１の放送局の選局処理を指示することが望ましい。
【００２１】
この構成によれば、外部機器が第１の放送局の選局処理を実行することができなくなったときに、第１の放送局の選局処理を実行可能な外部機器を再特定し、再特定された外部機器に対して第１の放送局の選局処理の実行を指示することができる。
【００２２】
また上記構成の放送信号受信装置において、前記制御部は、外部機器に対して第１の放送局の番組の選局処理を指示した後に、前記チューナ部が第１の放送局の番組の選局処理を実行可能となったときは、前記チューナ部に対して第１の放送局の番組の選局処理を指示することが望ましい。
【００２３】
この構成によれば、自装置（放送信号受信装置）のチューナ部が第１の放送局の選局処理を実行可能であれば自装置のチューナ部に選局処理を実行させる。従って他者が外部機器を使用して番組を視聴したり、録画予約設定したりすることが可能になる。
【００２４】
また上記構成の放送信号受信装置において、前記制御部は前記放送信号に含まれる番組情報を利用して外部機器に対して第１の放送局の選局処理を指示することが望ましい。
【００２５】
この構成によれば、制御部はチューナ部によって受信した放送信号に含まれる番組情報を利用して外部機器に対して第１の放送局の選局処理を指示する。従って、放送信号受信装置と外部機器はチャンネルマップを共有していなくとも制御信号の送受信を行うことで選局処理を指示することができる。
【発明の効果】
【００２６】
本発明によれば、チューナ部が、表示手段に番組を表示するために第１の放送局の選局処理を行うチューナ部として選択され、且つ、録画予約が設定された第２の放送局の選局処理を行うチューナ部として選択されているときに、第１の放送局の選局処理を実行可能な外部機器を特定し、録画予約の録画処理が開始される前に、外部機器に対して第１の放送局の選局処理を指示する。これによって録画予約の録画処理が開始される前に外部機器が第１の放送局の選局処理を行うので、録画予約時間（録画予約されている番組の放送開始時間）が到来して録画処理が開始されても第１の放送局の番組の視聴を継続することができる。
【図面の簡単な説明】
【００２７】
【図１】第１実施形態の放送信号受信装置及びこれに接続された外部機器の構成を示すのブロック図
【図２】第１実施形態の放送信号受信装置の制御部が実行する処理を示すフローチャート
【図３】第２実施形態の放送信号受信装置の制御部が実行する処理を示すフローチャート
【図４】第３実施形態の放送信号受信装置の制御部が実行する処理を示すフローチャート
【図５】第４実施形態の放送信号受信装置の制御部が実行する処理を示すフローチャート
【図６】第５実施形態の放送信号受信装置の制御部が実行する処理を示すフローチャート
【発明を実施するための形態】
【００２８】
[第１実施形態]
以下に本発明の放送信号受信装置について図面を参照して説明する。図１は本発明の放送信号受信装置とこれに接続された外部機器の構成を示すブロック図である。以下実施形態では本発明の技術的思想を具体化するために、放送信号受信装置をＢＤレコーダ、外部機器をテレビ装置としているがこれに限られるものではない。放送信号受信装置及び外部機器は後述するチューナ部（図１参照）を備える装置であれば限定されない。
【００２９】
ＢＤレコーダ１について説明する。ＢＤレコーダ１は制御部２、チューナ部３、操作部４を備える。制御部２はＢＤレコーダ１全体を制御する制御手段である。また、制御部２は所定の判定を行い、判定結果に基づいてテレビ装置１１の制御部１２に対して所定の指示を行う。以下、制御部２が行う判定及びテレビ装置１１の制御部１２に対して行う指示について詳説する。
【００３０】
制御部２は、まず、チューナ部３が表示手段（図１に示すテレビ装置１１が備える表示部１４）に番組を表示するために第１の放送局の選局処理を行うチューナ部として選択され、且つ、録画予約が設定された第２の放送局の選局処理を行うチューナ部として選択されているか否かを判定する。
【００３１】
例えばユーザがチューナ部３を使用して第１の放送局の番組Ｆを視聴しており、且つ、チューナ部３を使用して第２の放送局（第１の放送局とは異なる放送局）の番組Ｇの録画を予約設定しているときに、第１の放送局及び第２の放送局の選局処理を行うチューナ部として選択されていると判定する。
【００３２】
また、ユーザが録画済み番組Ｈを視聴している場合には、ユーザが番組Ｈを視聴する前にチューナ部３を使用して第１の放送局の番組Ｉを視聴しており、且つ、チューナ部３を使用して第２の放送局の番組Ｊの録画を予約設定しているときに、第１の放送局及び第２の放送局の選局処理を行うチューナ部として選択されていると判定する。言い換えれば、録画済み番組Ｈの再生終了後にチューナ部３を使用して表示手段に番組Ｉが表示されるものであって、且つ、チューナ部３を使用して第２の放送局の番組Ｊの録画が予約設定されているときに、第１の放送局及び第２の放送局の選局処理を行うチューナ部として選択されていると判定する。
【００３３】
ユーザの指示によって表示手段に表示される番組を放送する放送局と、録画予約している番組を放送する放送局が異なることがある。そして、いずれの選局処理もチューナ部３が行う場合には録画開始時間が到来したときにチューナ部３は録画予約している番組を放送する放送局の選局処理を行う。従って、チューナ部３を使用して現在表示手段に表示している番組を継続して視聴することはできない。そこで上記判定を行うことによって、チューナ部３が事後的に表示手段に番組を表示するためのチューナ部として使用できなくなるか否かを判定することができる。
【００３４】
次に制御部２は、自装置に接続されている外部機器の中に、ユーザが表示手段に表示している番組（上記例の番組Ｆ、番組Ｉ）を提供する放送局（上記例の第１の放送局）の選局処理が可能な外部機器があるか否かを判定し、選局処理可能な外部機器を特定する。本実施形態においては説明の簡略化のために、外部機器の一例としてテレビ装置１１のみがＢＤレコーダ１に接続されているが、複数の外部機器がＢＤレコーダ１に接続されていることとしてもよい。
【００３５】
テレビ装置１１は制御部１２、チューナ部１３、表示部１４を備える。制御部１２はテレビ装置１１全体を制御する。チューナ部１３はＢＤレコーダ１のチューナ部３と同様であり後述する。表示部１４は放送局が提供する番組、録画済み番組を表示する表示手段である。
【００３６】
本実施形態においては、テレビ装置１１が備えるチューナ部１３が、表示部１４に番組を表示するための選局処理を行っておらず、且つ、チューナ部１３を使用した録画予約が設定されていないときに、テレビ装置１１をユーザが表示手段に表示している番組を提供する放送局の選局処理が可能な外部機器であると判定する。ＢＤレコーダに複数の外部機器が接続されており、複数の外部機器が選局可能である場合にはその中から一の外部機器を選局可能な外部機器として特定する。
【００３７】
なお、本実施形態ではＢＤレコーダ１が操作手段４を備え、テレビ装置１１が表示手段１４を備えているがこれに限られない。例えばいずれもが操作手段及び表示手段を備えることとしてもよい。
【００３８】
ＢＤレコーダ１とテレビ装置１１は有線又は無線によって接続される。例えばＩＥＥＥ８０２．３（イーサネット（登録商標））、ＨＤＭＩ（Ｈｉｇｈ−Ｄｅｆｉｎｉｔｉｏｎ Ｍｕｌｔｉｍｅｄｉａ Ｉｎｔｅｒｆａｃｅ）、ＩＥＥＥ１３９４、ＩＥＥＥ８０２．１１（無線ＬＡＮ）、ブルートゥース（登録商標）などが挙げられる。
【００３９】
本実施形態ではＢＤレコーダ１とテレビ装置１１がＨＤＭＩに準拠したインターフェースを搭載し、ＨＤＭＩケーブルを介して接続されている場合を例に説明する。ＨＤＭＩケーブルを介して接続されたＢＤレコーダ１とテレビ装置１１は映像信号及び音声信号に加え、ＣＥＣ（Ｃｏｎｓｕｍｅｒ  Ｅｌｅｃｔｒｏｎｉｃｓ  Ｃｏｎｔｒｏｌ）コマンドを互いに送受信することができる。
【００４０】
ＨＤＭＩケーブルによって接続された機器間で送受信されるＣＥＣコマンドには、送信元及び／又は送信先の論理アドレス及び／又は物理アドレスが含まれる。ＣＥＣコマンドを受信した機器は送信元の機器に対してレスポンスデータを送信する。本実施形態においてＢＤレコーダ１の制御部２はＣＥＣコマンドを使用してテレビ装置１１の制御部１２に対して所定の制御を行うよう指示する。
【００４１】
ＢＤレコーダ１の制御部２がテレビ装置１１の制御部１２に対して行う指示について説明する。ＢＤレコーダ１の制御部２はテレビ装置１１を第１の放送局の選局処理が可能な外部機器であると特定すると、テレビ装置１１の制御部１２に対して第１の放送局の選局処理を指示する。選局処理を指示するタイミングはチューナ部３によって第２の放送局の選局処理が開始される前（すなわち上記例の番組Ｇ、番組Ｊの放送開始前）であればよい。
【００４２】
さらに詳説すると、上述したように、ユーザがチューナ部３を使用して第１の放送局の番組Ｆを視聴しており、且つ、チューナ部３を使用して第２の放送局の番組Ｇの録画予約が設定されているときには、現時点（テレビ装置１１を第１の放送局の選局処理が可能な外部機器であると特定した時点）からチューナ部３によって第２の放送局の選局処理が開始される前の任意のタイミングである。
【００４３】
また、上述したようにユーザが録画済み番組Ｈを視聴していて、ユーザが番組Ｈを視聴する前にチューナ部３を使用して第１の放送局の番組Ｉを視聴しており、且つ、チューナ部３を使用して第２の放送局の番組Ｊの録画が予約設定されているときには、番組Ｈの視聴終了後からチューナ部３によって第２の放送局の選局処理が開始される前の任意のタイミングである。
【００４４】
チューナ部３はアンテナ１１を介して放送局が放送する各チャンネルの放送信号を受信する。放送信号のトランスポートストリームには番組の映像信号、番組の音声信号、番組の番組情報が含まれる。チューナ部３，１３のデコーダ部３ａ，１３ａは例えばＭＰＥＧ−２方式やＨ．２６４規格等で符号化された放送信号を復号して、複合した映像信号、音声信号、番組情報を制御部２に出力する。番組情報には放送局名、番組タイトル、放送開始時間、放送終了時間、放送時間（放送開始時間から放送終了時間までの時間）等の情報が含まれる。
【００４５】
操作部４はユーザが選局、録画予約の設定等ＢＤレコーダ１の機能を使用するための入力操作手段である。操作部４としてはＢＤレコーダ１本体に各種キーやボタンを設けてもよいし、ＢＤレコーダ１本体を遠隔操作するためのリモートコントローラを用いても構わない。
【００４６】
以下、本実施形態のＢＤレコーダ１の制御部２が実行する処理について図２を参照して説明する。ステップＳ０１において制御部２はチューナ部３が表示手段（表示部１４）に番組を表示するために第１の放送局の選局処理を行うチューナ部として選択されているか否かを判定する。第１の放送局の選局処理を行うチューナ部として選択されているときは（ステップＳ０１のＹ）ステップＳ０２に進み、選択されていないときは（ステップＳ０１のＮ）ステップＳ０１に戻る。
【００４７】
なお、本実施形態において「表示手段に番組を表示するために第１の放送局の選局処理を行うチューナ部として選択されている」とは、上述したように「現在、表示手段に番組を表示するために第１の放送局の選局処理を行うチューナ部として選択されている」こと、又は、「録画済み番組の再生終了後に、表示手段に番組を表示するために第１の放送局の選局処理を行うチューナ部として選択されている」ことを示す。
【００４８】
ステップＳ０２において制御部２はチューナ部３が録画予約が設定された第２の放送局の選局処理を実行するチューナ部として選択されているか否かを判定する。第２の放送局の選局処理を行うチューナ部として選択されているときは（ステップＳ０２のＹ）ステップＳ０３に進み、選択されていないときは（ステップＳ０２のＮ）ステップＳ０１に戻る。
【００４９】
ステップＳ０３において制御部２は第１の放送局の選局処理を実行可能な外部機器が存在するか否かを判定する。第１の放送局の選局処理を実行可能な外部機器が存在するときは（ステップＳ０３のＹ）ステップＳ０４に進み、存在しないときは（ステップＳ０３のＮ）ステップＳ０１に戻る。本実施形態においてはテレビ装置１１が第１の放送局の選局処理を実行可能な外部機器として特定される。
【００５０】
ステップＳ０４において制御部２はテレビ装置１１に対して、制御信号を送信して第１の放送局の選局処理を実行するよう指示する。制御信号には番組情報（少なくとも放送局名、番組タイトルを含む）が含まれ、テレビ装置１１の制御部１２は当該番組情報に基づいて選局処理を実行する。
【００５１】
選局処理の実行を指示するタイミングは上述したようにチューナ部３によって第２の放送局の選局処理が実行される前である。特に、ユーザが録画済み番組を視聴中である場合には、録画済み番組の再生終了後、チューナ部３によって第２の放送局の選局処理が実行される前とすればよい。
【００５２】
なお、テレビ装置１１を利用して第１の放送局が放送している番組を視聴するための入力切替は制御部２が行うこととしてもよいし、テレビ装置１１の制御部１２が行うこととしてもよい。
【００５３】
また、本実施形態では各ステップにおいて判定がＮＯのときにステップＳ０１に戻ることとしているが処理を終了することとしてもよい。以降の実施形態においても同様に各ステップにおいて判定がＮＯのときにステップＳ１１、Ｓ２１、Ｓ３１に戻らずに処理を終了することとしてもよい。
【００５４】
本実施形態によれば、チューナ部が、表示手段に番組を表示するために第１の放送局の選局処理を行うチューナ部として選択され、且つ、録画予約が設定された第２の放送局の選局処理を行うチューナ部として選択されているときに、第１の放送局の選局処理を実行可能な外部機器を特定し、録画予約の録画処理（録画予約が設定されている放送局の選局処理を実行し、その放送局が放送している番組を録画する処理）が開始される前に、外部機器に対して第１の放送局の選局処理を指示する。これによって録画予約の録画処理が開始される前に外部機器が第１の放送局の選局処理を行うので、録画予約時間（録画予約されている番組の放送開始時間）が到来して録画処理が開始されても第１の放送局の番組の視聴を継続することができる。
【００５５】
また、録画済み番組の再生処理中であれば、録画済み番組の再生終了後、且つ、録画予約の録画処理が開始される前に、外部機器に対して第１の放送局の選局処理を指示する。これによって録画済み番組の再生開始後に第１の放送局の番組の視聴を継続することができる。
【００５６】
また、制御部はチューナ部によって受信した放送信号に含まれる番組情報を利用して外部機器に対して第１の放送局の選局処理を指示する。従って、放送信号受信装置と外部機器はチャンネルマップを共有していなくとも制御信号の送受信を行うことで選局処理を指示することができる。
【００５７】
チャンネルマップとは、例えば、操作部４（例えばリモコン）のチャンネル選局キーに１〜１２の数字（リモコン番号）が予め割り当てられている場合に、各リモコン番号１〜１２に対してどのチャンネル番号が対応付けられいるかを示すものである。一般的にチャンネルマップは同一メーカー品であれば同一のチャンネルマップを保有しているが、別メーカー品になると異なるチャンネルマップを保有していることがある。本実施形態ではチャンネルマップの相違によらず番組情報を利用して制御信号を送信するので汎用性を高めることができる。
【００５８】
[第２実施形態]
本実施形態のＢＤレコーダ１の制御部２が実行する処理について図３を参照して説明する。本実施形態は第１実施形態において特に「現在、表示手段に番組を表示するために第１の放送局の選局処理を行うチューナ部として選択されている」場合に実行される処理の変形例である。なお、図３のフローチャートのステップＳ１１〜１２、ステップＳ１４〜１５は夫々図２のフローチャートのステップＳ０１〜０２、ステップＳ０３〜０４と同一であるため説明を省略する。
【００５９】
ステップＳ１３において制御部２は、第１の放送局が現在放送している番組の放送終了時間よりも、録画予約が設定されている番組の放送開始時間のほうが早いか否かを判定する。録画予約が設定されている番組の放送開始時間のほうが早ければ（ステップＳ１３のＹ）ステップＳ１４に進み、録画予約が設定されている番組の放送開始時間のほうが遅ければ（ステップＳ１３のＮ）ステップＳ１１に戻る。
【００６０】
本実施形態によれば第１実施形態と同様の効果を奏する。加えて、第１の放送局が現在放送している番組の放送終了時間よりも、録画予約が設定されている番組の放送開始時間のほうが遅いときには外部機器に対して第１の放送局の選局処理を指示しない。従って、外部機器に対して過度に第１の放送局の選局処理の実行が指示されない。
【００６１】
以下、具体例を示して説明する。ユーザがチューナ部３を使用して第１の放送局の番組Ｆ（放送終了時間は１６：００とする。）を視聴しているとする。また、チューナ部３を使用して第２の放送局の番組Ｇの録画予約が設定されているとする。ここで番組Ｇの放送開始時間が番組Ｆと同日の１５：３０とする。この場合時刻が１５：３０になればチューナ部３は第２の放送局の選局処理を実行する。従ってユーザはチューナ部３を使用して番組Ｆを視聴することができない。そこで制御部２は番組Ｇの放送開始前にテレビ装置１１に対して第１の放送局の選局処理の実行を指示する。これによってユーザは外部機器のチューナ部を使用して番組Ｆの視聴を継続できる。
【００６２】
一方、番組Ｇの放送開始時間が番組Ｆと同日の１６：３０とする。この場合、時刻が１６：３０になればチューナ部３は第２の放送局の選局処理を実行する。しかしながらユーザが現在視聴している番組Ｇは１６：００に終了する。この場合、１６：００以降にユーザがテレビ視聴を終了すること、第２の放送局の選局処理を指示すること、録画済み番組の再生を開始すること等が考えられる。このような場合にはテレビ装置１１に対して第１の放送局の選局処理の実行を指示する必要はない。
【００６３】
なお、１６：００以降も第１の放送局の選局処理が実行されている場合にはその番組の放送終了時間が１６：３０以降であれば番組Ｇの放送開始前にテレビ装置１１に対して第１の放送局の選局処理の実行を指示する。つまり、視聴者がチューナ部３を使用して番組Ｆの視聴を継続できなくなる可能性が高いと考えられる場合にテレビ装置１１に対して第１の放送局の選局処理の実行を指示するものである。
【００６４】
[第３実施形態]
本実施形態のＢＤレコーダ１の制御部２が実行する処理について図４を参照して説明する。本実施形態は第１実施形態において特に「録画済み番組の再生終了後に、表示手段に番組を表示するために第１の放送局の選局処理を行うチューナ部として選択されている」場合に実行される処理の変形例である。なお、図４のフローチャートのステップＳ２１〜２２、ステップＳ２４〜２５は夫々図２のフローチャートのステップＳ０１〜０２、ステップＳ０３〜０４と同一であるため説明を省略する。
【００６５】
ユーザは現在第１の放送局が放送している番組Ｉを視聴中に、録画済みの番組Ｈを再生し、番組Ｈの再生終了後に再び番組Ｉを視聴することがある。例えば番組Ｉ中に自身に興味のないコーナーが始まった時に番組Ｈの再生を開始し、そのコーナーが終了する頃に番組Ｈの再生を終了して番組Ｉを視聴するような場合である。このような場合に制御部２はユーザが番組Ｉを継続して視聴できるように制御を行う。
【００６６】
ステップＳ２３において制御部２は、録画済み番組の再生開始前に選局処理を実行したときに第１の放送局が放送していた番組と、録画済み番組の再生終了後に選局処理を実行したときに第１の放送局が放送している番組が同一であるか否かを判定する。番組が同一であるか否かは放送信号に含まれる番組情報を参照して判定する。
【００６７】
再生処理開始前に選局処理した第１の放送局が放送する番組と再生処理終了後に第１の放送局が放送する番組が同一であれば（ステップＳ２３のＹ）ステップＳ２４に進み、同一でなければ（ステップＳ２３のＮ）ステップＳ２１に戻る。
【００６８】
本実施形態によれば第１実施形態と同様の効果を奏する。加えて、再生処理開始前に選局処理した第１の放送局が放送する番組と再生処理終了後に第１の放送局が放送する番組が同一でないときには外部機器に対して第１の放送局の選局処理を指示しない。従って、外部機器に対して過度に第１の放送局の選局処理の実行が指示されない。
【００６９】
[第４実施形態]
本実施形態のＢＤレコーダ１の制御部２が実行する処理について図５を参照して説明する。なお、図５のフローチャートのステップＳ３１〜３３、ステップＳ３５は夫々図２のフローチャートのステップＳ０１〜０３、ステップＳ０４と同一であるため説明を省略する。
【００７０】
ステップＳ３４において制御部２はステップＳ３３で第１の放送局の選局処理を実行可能な外部機器として特定した外部機器（テレビ装置１１）が依然として第１の放送局の選局処理を実行可能な外部機器であるか否かを判定する。
【００７１】
すなわち上述したように制御部２がテレビ装置１１の制御部１２に制御信号（第１の放送局の選局処理の実行指示）を送信するのは、録画予約番組の放送開始前の任意のタイミングである。従って、一度は第１の放送局の選局処理を実行可能な外部機器として特定したものの、その後の事情によりその外部機器に第１の放送局の選局処理を実行できなくなることや、実行させることが望ましくなくなることがある。例えば、テレビ装置１１を使用して録画予約が設定された場合や、他者（家族等）がテレビ装置１１を使用して所望の番組の視聴を開始した場合等である。そこで、制御部２はテレビ装置１１が依然として第１の放送局の選局処理を実行可能な外部機器であるか否かを判定する。
【００７２】
テレビ装置１１が依然として第１の放送局の選局処理を実行可能な外部機器であるか否かを判定するタイミングは、テレビ装置１１の制御部１２に対して第１の放送局の選局処理を指示する前の任意のタイミングであればよい。また、判定回数は特に限られるものではない。定期又は不定期に継続して判定することとしてもよいし、制御信号をテレビ装置１１の制御部１２に送信する前に一度だけ判定することとしてもよい。
【００７３】
外部機器が依然として第１の番組を選局可能であれば（ステップＳ３４のＹ）ステップＳ３５に進み、選局可能でなければ（ステップＳ３４のＮ）ステップＳ３３に戻って第１の選局処理を実行可能な外部機器が存在するかを判定する。
【００７４】
本実施形態によれば第１実施形態と同様の効果を奏する。加えて、外部機器の状況の変化に応じて適切な制御を行うことができる。具体的には外部機器が第１の放送局の選局処理を実行することができなくなったときに、第１の放送局の選局処理を実行可能な外部機器を再特定し、再特定された外部機器に対して第１の放送局の選局処理の実行を指示することができる。
【００７５】
[第５実施形態]
本実施形態のＢＤレコーダ１の制御部２が実行する処理について図６を参照して説明する。なお、図６のフローチャートのステップＳ４１〜４４は図２のフローチャートのステップＳ０１〜０４と同一であるため説明を省略する。
【００７６】
ステップＳ４５において制御部２はチューナ部３が第１の放送局の選局処理を実行可能か否かを判定する。具体的には、録画処理が終了した場合（録画していた番組の放送が終了した場合）に第１の放送局の選局処理を実行可能であると判定する。
【００７７】
チューナ部３が第１の放送局の選局処理を実行可能であれば（ステップＳ４５のＹ）ステップＳ４６に進み、実行可能でなければ（ステップＳ４５のＮ）ステップＳ４５に戻る。ステップＳ４６において制御部２はチューナ部３に対して第１の放送局の選局処理の実行を指示する。
【００７８】
本実施形態によれば第１実施形態と同様の効果を奏する。加えて、制御部は自装置のチューナ部が第１の放送局の選局処理を実行可能であれば当該チューナ部に選局処理を実行させる。従って他者が外部機器を使用して番組を視聴・録画したり、録画予約設定したりすることが可能になる。
【００７９】
[その他]
上記各実施形態で制御部２はチューナ部３が第２の放送局の選局処理を開始する前に外部機器に対して第１の放送局の選局処理の実行を指示することとした。一方ユーザは録画予約を設定している番組であっても録画しながらその番組を視聴することがある。そしてユーザはその番組の放送が開始されるまでの時間、他のチャンネルでどのような番組が放送されているかをチェックするためにザッピング（チャンネルの切り替えを繰り返す行為）を行うことがある。
【００８０】
つまりユーザは録画予約を設定している番組の放送開始時間が到来すれば自動的にその番組にチャンネルが切り替わることを想定して他のチャンネルを視聴していると考えられ、このような場合には外部機器に対して選局処理の実行を指示する必要はない。そこで制御部２は第１の放送局が放送する番組の視聴時間（表示部１４に表示している時間）が所定時間を超えているときに限り、チューナ部３が第２の放送局の選局処理を開始する前に外部機器に対して第１の放送局の選局処理の実行を指示することとしてもよい。これにより外部機器に対して過度に第１の放送局の選局処理の実行が指示されるのを防ぐことができる。
【００８１】
なお、上記各実施形態は、相互に矛盾しない限り任意に組み合わせることが可能である。
【符号の説明】
【００８２】
１            ＢＤレコーダ（放送信号受信装置）
２、１２      制御部
３、１３      チューナ部
４            操作部
１１          テレビ装置（外部機器）
１４          表示部
【図１】
2014099736.tif 000003
【図２】
2014099736.tif 000004
【図３】
2014099736.tif 000005
【図４】
2014099736.tif 000006
【図５】
2014099736.tif 000007
【図６】
2014099736.tif 000008